(57)【要約】  【課題】  高いメモリ表示性を実現できて、消費電力の低減化を図れる液晶表示装置を提供する。  【解決手段】  所望の画像データに応じた電圧を強誘電性液晶に、ＴＦＴを介して所定周期で印加して表示画像の書換えを行った（期間Ａ）後、強誘電性液晶への電圧印加を休止して（タイミングＣ）、その電圧印加休止前の表示画像を維持する（期間Ｂ）。このメモリ表示期間（期間Ｂ）中、ＴＦＴをオフ状態にするためにゲートオフ電圧を印加する。このメモリ表示期間（期間Ｂ）中は、通常表示期間（期間Ａ）に比べてバックライトの発光強度を低くする。液晶物質への電圧印加の休止前に、電圧印加の休止後に表示すべき画像に応じた電圧（電圧Ｄ）を印加する。強誘電性液晶への画像データに応じた電圧印加を再開する（タイミングＥ）前に、全画素の表示が全て黒表示となるような電圧（電圧Ｆ）を印加する。【選択図】      図５
2005283775.tif 000002
【特許請求の範囲】
【請求項１】
少なくとも２枚の基板によって形成された空隙内に液晶物質が封入されており、夫々の画素に対応して前記液晶物質による光透過率を制御すべく電圧印加を選択／非選択制御するスイッチング素子が設けられており、前記スイッチング素子を介して前記液晶物質へ電圧を印加して画像表示を行う第１表示機能と、前記スイッチング素子を介した前記液晶物質への電圧印加を休止し、電圧印加を休止する直前の表示状態を保持する第２表示機能とを有する液晶表示装置において、前記第２表示機能を実行している間、前記スイッチング素子をオフ状態にすることを特徴とする液晶表示装置。
【請求項２】
前記第１表示機能から前記第２表示機能に切り換える手段を備えることを特徴とする請求項１記載の液晶表示装置。
【請求項３】
表示のための光源を備えており、前記第１表示機能と前記第２表示機能とで前記光源の発光強度を異ならせるようにしたことを特徴とする請求項１または２記載の液晶表示装置。
【請求項４】
前記液晶物質への電圧印加の休止前に、電圧印加の休止後に表示すべき画像に応じた電圧を前記液晶物質へ印加するようにしたことを特徴とする請求項１乃至３のいずれかに記載の液晶表示装置。
【請求項５】
前記第２表示機能を前記第１表示機能に戻すべく前記液晶物質への電圧印加を再開する前に全画素の表示を全て黒表示とするようにしたことを特徴とする請求項１乃至４のいずれかに記載の液晶表示装置。
【請求項６】
前記液晶物質は強誘電性液晶物質であることを特徴とする請求項１乃至５のいずれかに記載の液晶表示装置。
【請求項７】
透過型、反射型、または半透過型であることを特徴とする請求項１乃至６のいずれかに記載の液晶表示装置。
【請求項８】
カラーフィルタ方式にてカラー表示を行うことを特徴とする請求項１乃至７のいずれかに記載の液晶表示装置。
【請求項９】
フィールド・シーケンシャル方式にてカラー表示を行うことを特徴とする請求項１乃至７のいずれかに記載の液晶表示装置。
【発明の詳細な説明】
【技術分野】
【０００１】
本発明は、液晶表示装置に関し、特に、液晶物質への電圧印加を休止して表示を行うメモリ表示機能を有する液晶表示装置に関する。
【背景技術】
【０００２】
近年のいわゆる情報化社会の進展に伴って、パーソナルコンピュータ，ＰＤＡ（Personal Digital Assistants)等に代表される電子機器が広く使用されるようになっている。このような電子機器の普及によって、オフィスでも屋外でも使用可能な携帯型の需要が発生しており、それらの小型・軽量化が要望されている。そのような目的を達成するための手段の一つとして液晶表示装置が広く使用されている。液晶表示装置は、単に小型・軽量化のみならず、バッテリ駆動される携帯型の電子機器の低消費電力化のためには必要不可欠な技術である。
【０００３】
液晶表示装置は大別すると反射型と透過型とに分類される。反射型は液晶パネルの前面から入射した光線を液晶パネルの背面で反射させてその反射光で画像を視認させる構成であり、透過型は液晶パネルの背面に備えられた光源（バックライト）からの透過光で画像を視認させる構成である。反射型は環境条件によって反射光量が一定しなくて視認性に劣るため、特に、フルカラー表示を行うパーソナルコンピュータ等の表示装置としては一般的に、カラーフィルタを用いた透過型のカラー液晶表示装置が使用されている。
【０００４】
カラー液晶表示装置は、現在、ＴＦＴ（Thin Film Transistor）などのスイッチング素子を用いたアクティブ駆動のものが広く使用されている。このＴＦＴ駆動の液晶表示装置は、表示品質は比較的高いが、液晶パネルの光透過率が現状では数％と低いので、高い画面輝度を得るためには高輝度のバックライトが必要になる。このため、バックライトによる消費電力が大きくなってしまう。また、液晶の電界に対する応答性が低く、応答速度、特に中間調における応答速度が遅いという問題がある。また、カラーフィルタを用いたカラー表示であるため、１画素を３個の副画素で構成しなければならず、高精細化が困難であり、その表示色純度も十分ではない。
【０００５】
このような問題を解決するために、本発明者等はフィールド・シーケンシャル方式の液晶表示装置を開発している（例えば、非特許文献１，２，３参照）。このフィールド・シーケンシャル方式の液晶表示装置は、カラーフィルタ方式の液晶表示装置と比べて、副画素を必要としないため、より精細度が高い表示が容易に実現可能であり、また、カラーフィルタを使わずに光源の発光色をそのまま表示に利用できるため、表示色純度にも優れる。更に光利用効率も高いので、消費電力が少なくて済むという利点も有している。しかしながら、フィールド・シーケンシャル方式の液晶表示装置を実現するためには、液晶の高速応答性（２ｍｓ以下）が必須である。
【０００６】
そこで、本発明者等は、上述したような優れた利点を有するフィールド・シーケンシャル方式の液晶表示装置、または、カラーフィルタ方式の液晶表示装置の高速応答化を図るべく、従来に比べて１００〜１０００倍の高速応答を期待できる自発分極を有する強誘電性液晶等の液晶のＴＦＴ等のスイッチング素子による駆動を研究開発している（例えば、特許文献１参照）。強誘電性液晶は、電圧印加によってその液晶分子の長軸方向がチルトする。強誘電性液晶を挟持した液晶パネルを偏光軸が直交した２枚の偏光板で挾み、液晶分子の長軸方向の変化による複屈折を利用して、透過光強度を変化させる。なお、このような液晶表示装置には、図１２に示すような印加電圧に対してハーフＶ字型の電気光学応答特性（一方の極性の電圧を印加した場合に高い光透過率を呈し、他方の極性の電圧を印加した場合には、一方の極性の電圧を印加したときと比べて、低い光透過率（実質的に黒表示を見なせる低い光透過率）を呈する特性）を有する強誘電性液晶が液晶材料として一般的に使用されている。
【０００７】
フィールド・シーケンシャル方式の液晶表示装置は、上述したように、カラーフィルタ方式の液晶表示装置に比べて、光利用効率が高く、消費電力の低減が可能であるが、バッテリー駆動の携帯機器にあっては、消費電力のより一層の低減化が求められている。このような消費電力の低減化の要求は、カラーフィルタ方式の液晶表示装置においても同様である。
【特許文献１】特開平１１−１１９１８９号公報
【非特許文献１】吉原敏明，他（T.Yoshihara, et. al.）：アイエルシーシー９８ (ILCC 98)  P1-074  1998年発行
【非特許文献２】吉原敏明，他（T.Yoshihara, et. al.）：エーエム−エルシーディ’９９ダイジェストオブテクニカルペーパーズ (AM-LCD'99 Digest of Technical Papers,) 185頁  1999年発行
【非特許文献３】吉原敏明，他（T.Yoshihara, et. al.）：エスアイディ’００ダイジェストオブテクニカルペーパーズ (SID'00 Digest of TechnicalPapers, ）1176頁  2000年発行
【発明の開示】
【発明が解決しようとする課題】
【０００８】
ここで、自発分極を有する強誘電性液晶等を用いた液晶表示装置における表示機能、特にメモリ表示機能について説明する。このような液晶表示装置にあっては、液晶に電圧を印加して所定周期にて表示画像の書換えを行う通常表示機能と、液晶への電圧印加を休止してその休止前の表示画像を維持するメモリ表示機能とが存在する。メモリ表示機能では、ＴＦＴ等のスイッチング素子により液晶に印加される全ての電圧を取り除いた後、その印加電圧を取り除く直前の表示状態をほぼ保持するため、液晶物質へ電圧を印加することなく画像表示が可能となり、大幅な消費電力の低減を図れる。よって、携帯機器への適用も可能となり、特に、静止画面が多い携帯機器についての消費電力の低減効果は大きくなる。
【０００９】
以下、自発分極を有する強誘電性液晶が持つメモリ機能について述べる。液晶パネルに電圧を印加し、その後印加を中止して電圧を除去し、電圧印加時の光透過率とメモリ表示開始６０秒後の光透過率とを測定することを、印加する電圧の値を変えながら行ったときの測定結果の一例を図１３に示す。図１３では、横軸に印加した電圧（Ｖ）、縦軸に光透過率（％）をとって測定結果を示しており、○−○は電圧印加時の光透過率、△−△はメモリ表示開始６０秒後の光透過率をそれぞれ表している。印加電圧を除去した後も、印加電圧と光透過率との対応特性は変化しておらず、液晶パネルに印加されている電圧を除去しても、電圧印加時の表示状態に応じた光透過率を維持していることが分かる。また、黒表示（光透過率：略０％，印加電圧：略０Ｖ）は、電圧印加時と電圧非印加時とにおいて変化がなく、表示状態を保持している。
【００１０】
また、液晶パネルについて電圧を除去した後の光透過率の時間的変化を測定したときの測定結果を図１４に示す。図１４（ａ）に示すように、液晶パネルに７Ｖ，５μｓのパルス波形の電圧を印加して、光透過率を経時的に測定した。図１４（ｂ）では、横軸に時間（ｍｓ）、縦軸に光透過率（任意単位）をとって測定した光透過率を示している。電圧を印加した瞬間に光透過率が急上昇し、その後徐々に減衰するが、電圧除去１００ｍｓ以降は減衰が見られず一定の光透過率を維持し続けていることが分かる。
【００１１】
以上のことから、強誘電性液晶はメモリ機能を有しており、印加される電圧を除去した場合でも、その液晶分子は電圧除去前の表示データに応じた状態を保ち続けることが分かる。よって、このようなメモリ機能を有する強誘電性液晶を用いた液晶表示装置にあっては、一度１画面分の表示情報に対応する印加電圧を与えておくことにより、次の画面での表示情報に対応する印加電圧を与えるまでの間、電圧を印加し続けなくても、与えておいた印加電圧に応じた一定の表示を維持し続けることができる。従って、電圧を印加しなくても画面表示を維持することが可能となり、その印加不要に伴って消費電力を減らすことができる。
【００１２】
本発明は斯かる事情に鑑みてなされたものであり、消費電力の低減化を図れる液晶表示装置を提供することを目的とする。
【００１３】
本発明の他の目的は、液晶の十分な応答を行えて、高いメモリ性を実現できる液晶表示装置を提供することにある。
【課題を解決するための手段】
【００１４】
請求項１に係る液晶表示装置は、少なくとも２枚の基板によって形成された空隙内に液晶物質が封入されており、夫々の画素に対応して前記液晶物質による光透過率を制御すべく電圧印加を選択／非選択制御するスイッチング素子が設けられており、前記スイッチング素子を介して前記液晶物質へ電圧を印加して画像表示を行う第１表示機能と、前記スイッチング素子を介した前記液晶物質への電圧印加を休止し、電圧印加を休止する直前の表示状態を保持する第２表示機能とを有する液晶表示装置において、前記第２表示機能を実行している間、前記スイッチング素子をオフ状態にすることを特徴とする。
【００１５】
第１発明の液晶表示装置にあっては、第２表示機能（メモリ表示機能）を実行している間、スイッチング素子（ＴＦＴ）をオフ状態にしておくための電圧（ゲートオフ電圧）を印加する。これにより、液晶による明るさが異なる複数の表示状態を決定するための各画素の電荷量を安定に維持して、安定した表示状態を得る。スイッチング素子（ＴＦＴ）をオフ状態にしておかない場合には、第２表示機能（メモリ表示機能）の実行中に、例えば光がスイッチング素子（ＴＦＴ）に当たってその特性が不安定となり、液晶セルに蓄えられている電荷がスイッチング素子（ＴＦＴ）を介して外部に流出することが起こり得る。そこで、第１発明では、第２表示機能（メモリ表示機能）の実行中にスイッチング素子（ＴＦＴ）をオフ状態にしておき、特にスイッチング素子（ＴＦＴ）に強い光が照射された場合でも、スイッチング素子（ＴＦＴ）を介したリーク電流を抑制する。この結果、安定したメモリ表示が可能となる。また、双安定型の液晶物質だけでなく、単安定型の液晶物質を用いた場合でも、メモリ表示を行える。このように安定したメモリ表示が可能であるため、スイッチング素子（ＴＦＴ）を介した液晶物質への電圧印加の回数を大幅に減らすことができて、消費電力の低減を図れる。
【００１６】
請求項２に係る液晶表示装置は、請求項１において、前記第１表示機能から前記第２表示機能に切り換える手段を備えることを特徴とする。
【００１７】
第２発明の液晶表示装置にあっては、所望のタイミングで液晶物質への電圧印加を休止させてメモリ表示を実行する。よって、ライン走査による表示を行う液晶表示装置にあっても、安定したメモリ表示が可能である。特に、スイッチング素子（ＴＦＴ）を用いた液晶表示装置では、一般的に図１２に示すようなハーフＶ字型の電気光学応答特性を有する液晶物質を使用するため、各フレームまたは各サブフレームにおいて一方の極性の電圧と他方の極性の電圧とによるデータ書込み走査を２回以上行う。フィールド・シーケンシャル方式の液晶表示装置では、それぞれの書込み走査における電圧の極性を全画素で同一とすることが好ましい。カラーフィルタ方式の液晶表示装置では、必ずしも全ての画素を同一極性の電圧で書込み走査を行う必要はないが、メモリ表示を行う際には、同一極性の電圧で書込み走査を行うことが好ましい。そして、高い光透過率を実現できる一方の極性の電圧による書込み走査が終了し、次の他方の極性の電圧による書込み走査が始まる前の所望のタインミングで液晶物質への電圧印加を休止することにより、安定したメモリ表示を実現できる。電圧印加により表示画像の書換えを行う第１表示機能（通常表示機能）から電圧印加を除去して表示画像を維持する第２表示機能（メモリ表示機能）への切換えの例として、次のようなものが可能である。例えば、表示すべき画像データが静止画データであって、しかもユーザによる操作入力が所定時間以上なされない場合に自動的に第１表示機能（通常表示機能）から第２表示機能（メモリ表示機能）へ切り換えられる。または、第２表示機能による表示を要望するユーザによる指示操作によって、マニュアル的に第１表示機能（通常表示機能）から第２表示機能（メモリ表示機能）へ切り換えられる。
【００１８】
請求項３に係る液晶表示装置は、請求項１または２において、表示のための光源を備えており、前記第１表示機能と前記第２表示機能とで前記光源の発光強度を異ならせるようにしたことを特徴とする。
【００１９】
第３発明の液晶表示装置にあっては、電圧印加により表示画像の書換えを行う第１表示機能（通常表示機能）と、電圧印加を除去して表示画像を維持する第２表示機能（メモリ表示機能）とにおいて、表示用光源の発光強度を異ならせる。第２表示機能（メモリ表示機能）の場合には第１表示機能（通常表示機能）のときよりも表示用光源の発光強度を低くして、消費電力の低減化を図る。図１２に示すようなハーフＶ字型の電気光学応答特性を有する液晶物質を使用した場合、メモリ表示時は通常表示時に比べて約２倍の光透過率が得られる。従って、メモリ表示時においては、表示用光源の発光強度を低下させても、通常表示時と同等の画面表示輝度を実現できるため、低消費電力化を図れる。このように表示形態に応じて表示用光源の発光強度を変動させることにより、画面表示輝度の細かい調整が可能となり、表示用光源における余分な電力消費を抑制できる。
【００２０】
請求項４に係る液晶表示装置は、請求項１乃至３のいずれかにおいて、前記液晶物質への電圧印加の休止前に、電圧印加の休止後に表示すべき画像に応じた電圧を前記液晶物質へ印加するようにしたことを特徴とする。
【００２１】
第４発明の液晶表示装置にあっては、液晶物質への電圧印加を休止する前に、休止後に表示すべきモノクロ画像または単色カラー画像に応じた電圧で書込み走査を行っておく。よって、通常表示とは画像データが異なるメモリ表示用の画像データを確実に書き込むことが可能となり、所望のメモリ表示を実現できる。
【００２２】
請求項５に係る液晶表示装置は、請求項１乃至４のいずれかにおいて、前記第２表示機能を前記第１表示機能に戻すべく前記液晶物質への電圧印加を再開する前に全画素の表示を全て黒表示とするようにしたことを特徴とする。
【００２３】
第５発明の液晶表示装置にあっては、液晶物質への電圧印加を再開する場合、まず全画素の表示を全て黒表示とした後、表示データに応じた電圧を液晶物質へ印加する。よって、印加再開後に必ず黒ベースの表示となり、明瞭な表示が得られる。電圧印加を再開する際に全画素の表示を一旦黒表示としない場合には不都合が生じる。例えば、電圧無印加状態において維持しておいた表示が黒以外の表示、特に白表示である場合には、電圧印加を開始した際に白ベースの表示となって、所望の表示が得られなくなる。特に、双安定型の液晶物質を使用した場合に、この問題はは顕著であるが、第５発明ではこれを防止する。      
【００２４】
請求項６に係る液晶表示装置は、請求項１乃至５のいずれかにおいて、前記液晶物質は強誘電性液晶物質であることを特徴とする。
【００２５】
第６発明の液晶表示装置にあっては、液晶物質として強誘電性液晶物質を使用する。よって、安定したメモリ表示が可能となる。
【００２６】
請求項７に係る液晶表示装置は、請求項１乃至６のいずれかにおいて、透過型、反射型、または半透過型であることを特徴とする。
【００２７】
第７発明の液晶表示装置にあっては、透過型の液晶表示装置、反射型の液晶表示装置または半透過型の液晶表示装置のいずれかである。メモリ表示は、透過型の場合に消費電力の低減化を図れるが、半透過型または反射型とすることにより、消費電力の更なる低減化が可能になる。
【００２８】
請求項８に係る液晶表示装置は、請求項１乃至７のいずれかにおいて、カラーフィルタ方式にてカラー表示を行うことを特徴とする。
【００２９】
第８発明の液晶表示装置にあっては、カラーフィルタを用いるカラーフィルタ方式にてカラー表示を行う。よって、容易にカラー表示を行える。
【００３０】
請求項９に係る液晶表示装置は、請求項１乃至７のいずれかにおいて、フィールド・シーケンシャル方式にてカラー表示を行うことを特徴とする。
【００３１】
第９発明の液晶表示装置にあっては、複数色の光を経時的に切り換えるフィールド・シーケンシャル方式にてカラー表示を行う。よって、高精細、高色純度、高速応答性を有するカラー表示が可能である。
【発明の効果】
【００３２】
本発明の液晶表示装置では、第２表示機能（メモリ表示機能）を実行している間に、スイッチング素子（ＴＦＴ）をオフ状態にしておくようにしたので、液晶による明るさが異なる複数の表示状態を決定するための各画素の電荷量を安定に維持して、安定した表示状態を得ることができ、この結果、安定したメモリ表示を実現することができ、また、スイッチング素子（ＴＦＴ）を介した液晶物質への電圧印加の回数を大幅に減らすことができて消費電力の低減を図ることができる。
【発明を実施するための最良の形態】
【００３３】
以下、本発明をその実施の形態を示す図面を参照して具体的に説明する。なお、本発明は以下の実施の形態に限定されるものではない。
【００３４】
（第１実施の形態）
図１は第１実施の形態による液晶表示装置の回路構成を示すブロック図、図２はその液晶表示装置の液晶パネル及びバックライトの模式的断面図、図３はその液晶表示装置の全体の構成例を示す模式図である。第１実施の形態は、カラーフィルタ方式にてカラー表示を行う液晶表示装置である。
【００３５】
図１において、１，３０は図２に断面構造が示されている液晶パネル，バックライトを示している。図２及び図３で示されているように、液晶パネル１は、上層（表面）側から下層（背面）側に、偏光フィルム２と、共通電極３及びマトリクス状に配列されたカラーフィルタ４を有するガラス基板５と、マトリクス状に配列された画素電極６を有するガラス基板７と、偏光フィルム８とをこの順に積層して構成されている。
【００３６】
これら共通電極３及び画素電極６間には、データドライバ４２，スキャンドライバ４３等を有する駆動部２０が接続されている。データドライバ４２は、信号線２２を介してＴＦＴ２１と接続されており、スキャンドライバ４３は、走査線２３を介してＴＦＴ２１と接続されている。ＴＦＴ２１はスキャンドライバ４３によりオン／オフ制御される。また個々の画素電極６は、ＴＦＴ２１によりオン／オフ制御される。そのため、信号線２２及びＴＦＴ２１を介して与えられるデータドライバ４２からの信号により、個々の画素の透過光強度が制御されるようになっている。
【００３７】
ガラス基板７上の画素電極６の上面には配向膜９が、共通電極３の下面には配向膜１０がそれぞれ配置され、これらの配向膜９，１０間に強誘電性液晶である液晶物質が充填されて液晶層１１が形成されている。なお、１２は液晶層１１の層厚を保持するためのスペーサである。
【００３８】
バックライト３０は、液晶パネル１の下層（背面）側に位置し、発光領域を構成する導光及び光拡散板３１の端面に臨ませた状態で白色光を出射するＬＥＤアレイ３２が備えられている。導光及び光拡散板３１はこのＬＥＤアレイ３２の各ＬＥＤから発光される白色光を自身の表面全体に導光すると共に上面へ拡散することにより、発光領域として機能する。なお、このバックライト３０（ＬＥＤアレイ３２）の点灯／非点灯及び発光強度は、バックライト制御回路３３にて調整される。
【００３９】
図１において、３４は、液晶パネル１に電圧を印加して表示画像の書換えを行う通常表示機能（第１表示機能）と、液晶パネル１への電圧印加を休止してその休止前の表示画像を維持するメモリ表示機能（第２表示機能）とを切り換える表示機能切換回路である。表示機能切換回路３４には、パーソナルコンピュータ等から入力される画素データＰＤが動画データであるか静止画データであるかを判別する動画／静止画判別回路３５と、ユーザの操作入力の有無を検出する操作入力検出回路３６と、メモリ表示機能への切換えの設定をユーザから受け付けるメモリ表示設定キー３７とが接続されている。そして、通常は通常表示機能に設定されているが、動画／静止画判別回路３５にて画素データＰＤが静止画データであると判別され、しかも操作入力検出回路３６にて所定時間以上にわたってユーザによる操作入力が検出されない場合に自動的にメモリ表示機能に切り換わる。また、ユーザにてメモリ表示設定キー３７が押された場合には、通常表示機能からメモリ表示機能に切り換えられる。表示機能切換回路３４は、何れの表示機能であるかを示す信号を制御信号発生回路４１へ出力する。制御信号発生回路４１は、パーソナルコンピュータ等から同期信号ＳＹＮが入力され、表示に必要な各種の制御信号ＣＳを生成する。画像メモリ部４０からは画素データＰＤが、データドライバ４２へ出力される。画素データＰＤ、及び、印加電圧の極性を変えるための制御信号ＣＳに基づき、データドライバ４２を介して液晶パネル１には電圧が印加される。
【００４０】
また制御信号発生回路４１からは制御信号ＣＳが、基準電圧発生回路４４，データドライバ４２，スキャンドライバ４３及びバックライト制御回路３３へそれぞれ出力される。基準電圧発生回路４４は、基準電圧ＶＲ１及びＶＲ２を生成し、生成した基準電圧ＶＲ１をデータドライバ４２へ、基準電圧ＶＲ２をスキャンドライバ４３へそれぞれ出力する。データドライバ４２は、画像メモリ部４０からの画素データＰＤと制御信号発生回路４１からの制御信号ＣＳとに基づいて、画素電極６の信号線２２に対して信号を出力する。この信号の出力に同期して、スキャンドライバ４３は、画素電極６の走査線２３をライン毎に順次的に走査する。またバックライト制御回路３３は、駆動電圧をバックライト３０に与えて、バックライト３０から強度を調整した白色光を発光させる。
【００４１】
次に、液晶表示装置の動作について説明する。通常表示機能かメモリ表示機能かが表示機能切換回路３４で切り換えられる。画素データＰＤが静止画データであってユーザによる操作入力が所定時間以上にわたってなされない場合、または、ユーザにてメモリ表示設定キー３７が押された場合には、メモリ表示機能に切り換えられる。パーソナルコンピュータ等から動画／静止画判別回路３５を介して、画像メモリ部４０へ表示用の画素データＰＤが入力され、画像メモリ部４０は、この画素データＰＤを一旦記憶した後、制御信号発生回路４１から出力される制御信号ＣＳを受け付けた際に、この画素データＰＤを出力する。制御信号発生回路４１で発生された制御信号ＣＳは、データドライバ４２と、スキャンドライバ４３と、基準電圧発生回路４４と、バックライト制御回路３３とに与えられる。基準電圧発生回路４４は、制御信号ＣＳを受けた場合に基準電圧ＶＲ１及びＶＲ２を生成し、生成した基準電圧ＶＲ１をデータドライバ４２へ、基準電圧ＶＲ２をスキャンドライバ４３へそれぞれ出力する。
【００４２】
データドライバ４２は、制御信号ＣＳを受けた場合に、画像メモリ部４０から出力された画素データＰＤに基づいて、画素電極６の信号線２２に対して信号を出力する。スキャンドライバ４３は、制御信号ＣＳを受けた場合に、画素電極６の走査線２３をライン毎に順次的に走査する。データドライバ４２からの信号の出力及びスキャンドライバ４３の走査に従ってＴＦＴ２１が駆動し、画素電極６に電圧が印加され、画素の透過光強度が制御される。バックライト制御回路３３は、制御信号ＣＳを受けた場合に駆動電圧をバックライト３０に与えて、バックライト３０のＬＥＤアレイ３２が有する各ＬＥＤから白色光を発光させる。このように、液晶パネル１への入射光を出射するバックライト３０（ＬＥＤアレイ３２）の点灯制御と液晶パネル１に対する複数回のデータ走査とを同期させてカラー表示を行っている。
【００４３】
ここで、第１実施の形態における液晶表示装置の具体例について説明する。画素電極６（３２０×３（ＲＧＢ）×２４０，対角３．５インチ）を有するＴＦＴ基板と、共通電極３及びＲＧＢのカラーフィルタ４を有する共通電極基板とを洗浄した後、ポリイミドを塗布して２００℃で１時間焼成することにより、約２００Åのポリイミド膜を配向膜９，１０として成膜した。
【００４４】
更に、これらの配向膜９，１０をレーヨン製の布でラビングし、両者間に平均粒径１．６μｍのシリカ製のスペーサ１２でギャップを保持した状態で重ね合わせて空パネルを作製した。この空パネルに、ＴＦＴ駆動時において図１２に示すようなハーフＶ字状の電気光学応答特性を示すナフタレン系液晶を主成分とする双安定型強誘電性液晶物質（例えば、A.Mochizuki,et.al.:Ferroelectrics,133,353(1991）に開示された物質）を封入して液晶層１１とした。封入した強誘電性液晶物質の自発分極の大きさは約７ｎＣ／ｃｍ2 であった。
【００４５】
作製したパネルをクロスニコル状態の２枚の偏光フィルム２，８で、液晶層１１の強誘電性液晶分子の長軸方向が一方に傾いた場合に暗状態になるようにして挟んで液晶パネル１とした。この液晶パネル１とバックライト３０とを重ね合わせて、カラーフィルタ方式にてカラー表示を行えるようにした。
【００４６】
次に、第１実施の形態の具体的な動作例について説明する。図４及び図５は、その動作例における駆動シーケンスの一例を示すタイミングチャートである。図４（ａ）は液晶パネル１の各ラインの走査タイミング、図４（ｂ）はバックライト３０の点灯タイミングを示す。図４（ａ）に示すように、液晶パネル１に対して、各フレーム中に２回の画像データの書込み走査を行う。１回目のデータ書込み走査にあっては、明るい表示を実現できる極性でのデータ書込み走査を行い、２回目のデータ書込み走査では、１回目のデータ書込み走査とは極性が反対であって大きさが実質的に等しい電圧が印加される。これにより、１回目のデータ書込み走査に比べて暗い表示を実現でき、実質的には”黒表示”と見なせる。
【００４７】
また、図５（ａ）は所望の表示を得るために強誘電性液晶に印加する信号電圧の大きさ，図５（ｂ）はＴＦＴ２１のゲート電圧，図５（ｃ）は光透過率、図５（ｄ）はバックライト３０の発光強度、図５（ｅ）は画面輝度をそれぞれ示している。図５では、ある選択したラインにおける駆動シーケンスを表している。強誘電性液晶に所定周期で電圧を印加して表示画像の書換えを行う通常表示機能（第１表示機能）（期間Ａ）と、強誘電性液晶への電圧印加を休止してその休止前の表示画像を維持するメモリ表示機能（第２表示機能）（期間Ｂ）とを行える。
【００４８】
ゲートオン電圧のタイミングで所望の画像に対応する電圧を各ライン毎にＴＦＴ２１を介して強誘電性液晶に印加することを行った後に、最終ラインの電圧印加が終了して最初のラインが選択される前の所望のタイミングにおいて、液晶パネル１への電圧印加を休止する（タイミングＣ）。但し、電圧印加を休止する直前のデータ書込み走査では、電圧を印加しないときに維持表示したい所望の画像データに対応した電圧（信号電圧Ｄ）を印加する。なお、通常表示でのデータ書込み走査におけるゲート選択期間（ｔ1 ）は５μｓ／ラインとする。
【００４９】
電圧を印加しない期間（期間Ｂ）では、強誘電性液晶のメモリ機能に基づいて光透過率が保たれ、直前に印加された電圧（信号電圧Ｄ）に応じた表示画像が維持される。この期間（期間Ｂ）中は、ＴＦＴ２１をオフ状態にするためにゲートオフ電圧を印加する。また、この期間（期間Ｂ）中は、電圧を印加する期間（期間Ａ）と比べてバックライト３０の発光強度を７０％程度まで低減する。
【００５０】
その後、異なる画像を表示するために、強誘電性液晶への電圧印加を再開する（タイミングＥ）。なおこの際、液晶パネル１の表示を全て黒表示にした後に、所望の表示データに対応した電圧を印加する。つまり、強誘電性液晶への電圧印加を再開する際には、まず最初に黒表示に対応した電圧（信号電圧Ｆ）を印加する。
【００５１】
図５に示す駆動シーケンスに従って、ライン毎にＴＦＴ２１のスイッチングを介して電圧を印加し、最終ラインの電圧印加終了後の所望のタイミングで、液晶パネル１に印加されている全ての電圧をオフとした。そして、液晶パネル１への印加電圧値を変えながら、電圧印加時の光透過率と電圧除去して６０秒後の光透過率とを測定した。この測定結果は、図１３，図１４と同様の特性を呈した。よって、図５の駆動シーケンスにより、液晶パネル１に印加されている全ての電圧を除去することにより、電圧印加時の表示状態に応じた光透過率を維持できていることが分かる。この結果、電圧印加を行わなくても画像表示が可能である、つまりメモリ表示を確実に行えることが分かる。
【００５２】
また、このメモリ表示状態は、太陽光などの強い光が液晶パネル１に照射された場合においても安定していた。これは、メモリ表示期間中にＴＦＴ２１をオフ状態にしておいたため、ＴＦＴ２１を介して電荷が外部に流出しなかったことに起因している。
【００５３】
バックライト３０の発光強度の調整について考察する。通常の電圧印加時（図５の期間Ａ）においては、正負の電圧が交互に液晶に印加される。ハーフＶ字状の電気光学応答特性を有する強誘電性液晶の場合、一方の極性の電圧印加時のみ光が透過するので、正電圧及び負電圧で印加される比率が１：１であるとき、平均の明るさは光透過時の約半分になる。一方、電圧無印加時における明るさは、常に一定である。よって、電圧を印加しないときの方が、電圧印加時よりも明るくなる場合がある。
【００５４】
このような問題を解決するために、印加電圧の除去に同期して電圧無印加時のバックライト３０の発光強度を通常表示時の７０％程度に低減して（図５（ｄ））、明るさの調整を図る。このようにしても、画面輝度が低下することはない（図５（ｅ））。このバックライト３０の発光強度低減は、消費電力の低減にもつながり、意義が大きい。なお、電圧無印加時のバックライト３０の発光強度は任意で良く、電圧を印加しないときの消費電力を更に低減したい場合には、バックライト３０の発光強度を７０％程度以下に低減しても良いことは勿論である。電圧印加を再開した後は、バックライト３０の発光強度を元に戻す。
【００５５】
また、再び液晶パネル１への電圧印加を開始する際に、液晶パネル１の表示を全黒表示とした後、表示データに応じた電圧を液晶パネル１に印加する。これにより、動画表示を含む高品質のカラー表示を再び行うことができる。
【００５６】
図６は、黒ベースの光透過率変化を説明するための図であり、液晶分子５０は、最初図６（ａ）に示す如く偏光軸に沿って位置しており（実線で示す黒表示の位置）、電圧印加に応じてその位置と偏光軸からずれた位置（破線で示す白表示の位置）との間で向きを変える。この際の光透過率変化の一例を図６（ｂ）に示す。一方、図７は、白ベースの光透過率変化を説明するための図であり、液晶分子５０は、最初図７（ａ）に示す如く偏光軸からずれて位置しており（実線で示す白表示の位置）、電圧印加に応じてその位置と偏光軸に沿った位置（破線で示す黒表示の位置）との間で向きを変える。この際の光透過率変化の一例を図７（ｂ）に示す。
【００５７】
電圧印加を再開する際に、液晶パネル１の表示を全黒表示とした後に、所望の表示データに応じた電圧を印加していく場合には、図６に示すように必ず黒ベースの表示になり、明瞭な表示を得ることができる。これに対して、電圧印加を再開する際に、液晶パネル１の表示を一旦全黒表示としない場合には不都合が生じる。例えば、電圧無印加状態において維持していた表示が黒以外の表示、特に白表示であった場合には、電圧印加を開始した際に、図７に示すように白ベースの表示になり、所望の表示を得ることができない。
【００５８】
以上のようにすることにより、電圧印加時と電圧無印加時とにおいて、同様の画像表示を実現することができた。電圧印加時の具体的な消費電力は、２．５Ｗであった。また、電圧無印加時の具体的な消費電力は１．５Ｗであり、低い消費電力であった。
【００５９】
（第２実施の形態）
図８は第２実施の形態による液晶表示装置の回路構成を示すブロック図、図９はその液晶表示装置の液晶パネル及びバックライトの模式的断面図、図１０はその液晶表示装置の全体の構成例を示す模式図である。第２実施の形態は、フィールド・シーケンシャル方式にてカラー表示を行う液晶表示装置である。図８〜図１０において、図１〜図３と同一または同様な部分には同一番号を付している。
【００６０】
この液晶パネル１には、第１実施の形態（図２，図３）に見られるようなカラーフィルタは存在していない。また、バックライト３０は、液晶パネル１の下層（背面）側に位置し、発光領域を構成する導光及び光拡散板３１の端面に臨ませた状態でＬＥＤアレイ４２が備えられている。このＬＥＤアレイ５２は、導光及び光拡散板３１と対向する面に３原色、即ち赤，緑，青の各色を発光するＬＥＤ素子を１チップとした複数灯のＬＥＤを有する。そして、赤，緑，青の各サブフレームにおいては赤，緑，青のＬＥＤ素子をそれぞれ点灯させる。導光及び光拡散板３１はこのＬＥＤアレイ５２の各ＬＥＤからの光を自身の表面全体に導光すると共に上面へ拡散することにより、発光領域として機能する。
【００６１】
この液晶パネル１と、赤，緑，青の時分割発光が可能であるバックライト３０とを重ね合わせる。このバックライト３０の発光色、点灯タイミング及び発光強度は、液晶パネル１に対する表示データに基づくデータ書込み走査に同期して、バックライト制御回路３３にて制御される。
【００６２】
第２実施の形態における液晶表示装置の具体例について説明する。画素電極６（６４０×４８０，対角３．２インチ）を有するＴＦＴ基板と、共通電極３を有する共通電極基板とを洗浄した後、ポリイミドを塗布して２００℃で１時間焼成することにより、約２００Åのポリイミド膜を配向膜９，１０として成膜した。更に、これらの配向膜９，１０をレーヨン製の布でラビングし、両者間に平均粒径１．６μｍのシリカ製のスペーサ１２でギャップを保持した状態で重ね合わせて空パネルを作製した。この空パネルに、ＴＦＴ駆動時において図１２に示すようなハーフＶ字状の電気光学応答特性を示す単安定型強誘電性液晶物質（例えば、クラリアントジャパン製：Ｒ２３０１）を封入して液晶層１１とした。封入した強誘電性液晶物質の自発分極の大きさは６ｎＣ／ｃｍ2 であった。
【００６３】
そして、封入後、コレステリック相からカイラルスメクチックＣ相の転移点を挟んで１０ＶのＤＣ電圧を印加することで、一様な液晶配向状態を実現した。作製したパネルをクロスニコル状態の２枚の偏光フィルム２，８で、電圧無印加時において暗状態になるようにして挟んで液晶パネル１とした。この液晶パネル１とバックライト３０とを重ね合わせて、フィールド・シーケンシャル方式にてカラー表示を行えるようにした。
【００６４】
次に、第２実施の形態の具体的な動作例について説明する。図１１及び図５は、その動作例における駆動シーケンスの一例を示すタイミングチャートである。図１１（ａ）は液晶パネル１の各ラインの走査タイミング、図１１（ｂ）はバックライト３０の赤，緑，青各色の点灯タイミングを示す。１フレームを３つのサブフレームに分割し、例えば図１１（ｂ）に示すように第１番目のサブフレームにおいて赤色を発光させ、第２番目のサブフレームにおいて緑色を発光させ、第３番目のサブフレームにおいて青色を発光させる。一方、図１１（ａ）に示すとおり、液晶パネル１に対しては赤，緑，青の各色のサブフレーム中に、２回の画像データの書込み走査を行う。１回目のデータ書込み走査にあっては、明るい表示を実現できる極性でのデータ書込み走査を行い、２回目のデータ書込み走査では、１回目のデータ書込み走査とは極性が反対であって大きさが実質的に等しい電圧が印加される。これにより、１回目のデータ書込み走査に比べて暗い表示を実現でき、実質的には”黒表示”と見なせる。
【００６５】
そして、第１実施の形態と同様に、図５に示す駆動シーケンスに従って、ライン毎に液晶にＴＦＴ２１のスイッチングを介して電圧を印加し、最終ラインの電圧印加終了後の所望のタイミングで、液晶パネル１に印加する全ての電圧をオフにしてデータ書込み走査を休止する。また、ＴＦＴ２１にゲートオフ電圧を印加してＴＦＴ２１をオフ状態とする。データ書込み走査を休止する直前のデータ書込み走査は、電圧無印加時において表示したい所望のモノクロ表示データの書込み走査とする。また、メモリ表示を行っている間は、バックライト３０を白色光に切り換え、その発光強度を通常表示時に比べて低減する。なお、第１実施の形態と同様に、通常表示でのデータ書込み走査におけるゲート選択期間（ｔ1 ）は５μｓ／ラインとする。
【００６６】
このようにすることにより、電圧印加時には動画表示を含む高品質な表示を得ることができ、電圧除去時には、バックライト３０を所望の強度値に調整した白色光に切り換えることにより、低い消費電力にてモノクロ表示を得ることができた。このメモリ表示状態は、太陽光などの強い光が液晶パネル１に照射された場合にも安定していた。
【００６７】
再び液晶パネル１への電圧印加を開始する際に、液晶パネル１の表示を全黒表示とした後、表示データに応じた電圧を液晶パネル１へ印加する。これにより、電圧印加再開後には動画表示を含む高品質な表示を再び得ることができた。
【００６８】
電圧を印加する動画カラー表示時の具体的な消費電力は１．５Ｗであった。また、電圧を印加しないモノクロ表示時の具体的な消費電力は０．７３Ｗであり、低い消費電力であった。
【００６９】
なお、上述した第１，第２実施の形態にあっては、透過型の液晶表示装置について説明したが、反射型または半透過型の液晶表示装置においても、本発明を同様に適用できることは言うまでもない。反射型または半透過型の液晶表示装置の場合、バックライトなどの光源を用いなくても表示可能であるため、メモリ表示機能と組み合わせることによって、消費電力を限りなく０に近付けることが可能となる。また、ハーフＶ字型の自発分極を有する液晶材料を用いたが、Ｖ字型の自発分極を有する液晶材料を用いても同様の効果が得られることは言うまでもない。
【図面の簡単な説明】
【００７０】
【図１】第１実施の形態（カラーフィルタ方式）による液晶表示装置の回路構成を示すブロック図である。
【図２】第１実施の形態による液晶表示装置の液晶パネル及びバックライトの模式的断面図である。
【図３】第１実施の形態による液晶表示装置の全体の構成例を示す模式図である。
【図４】第１実施の形態による液晶表示装置の駆動シーケンスを示す図である。
【図５】第１，第２実施の形態による液晶表示装置の駆動シーケンスを示す図である。
【図６】黒ベースの光透過率変化を説明するための図である。
【図７】白ベースの光透過率変化を説明するための図である。
【図８】第２実施の形態（フィールド・シーケンシャル方式）による液晶表示装置の回路構成を示すブロック図である。
【図９】第２実施の形態による液晶表示装置の液晶パネル及びバックライトの模式的断面図である。
【図１０】第２実施の形態による液晶表示装置の全体の構成例を示す模式図である。
【図１１】第２実施の形態による液晶表示装置の駆動シーケンスを示す図である。
【図１２】液晶物質の電気光学応答特性の一例を示す図である。
【図１３】電圧印加時と電圧無印加時とにおける光透過率の一例を示すグラフである。
【図１４】パルス電圧印加例とそれに伴う光透過率の時間的変化とを示すグラフである。
【符号の説明】
【００７１】
１  液晶パネル
３  共通電極
４  カラーフィルタ
５，８  ガラス基板
６  画素電極
１１  液晶層
２０  駆動部
２１  ＴＦＴ
３０  バックライト
３３  バックライト制御回路
３４  表示機能切換回路
４２  データドライバ
４３  スキャンドライバ
【図１】
2005283775.tif 000003
【図２】
2005283775.tif 000004
【図３】
2005283775.tif 000005
【図４】
2005283775.tif 000006
【図５】
2005283775.tif 000007
【図６】
2005283775.tif 000008
【図７】
2005283775.tif 000009
【図８】
2005283775.tif 000010
【図９】
2005283775.tif 000011
【図１０】
2005283775.tif 000012
【図１１】
2005283775.tif 000013
【図１２】
2005283775.tif 000014
【図１３】
2005283775.tif 000015
【図１４】
2005283775.tif 000016